(57)【要約】【課題】大画面に好適なフレキシブルな画像表示装置を生産性高く実現する。【解決手段】可撓性を有する配線埋設層、配線埋設層の一方の主面と略面一状態で埋設された肉厚配線、肉厚配線と電気的に接続され、配線埋設層の前記一方の主面上に設けられた取出し下部電極、取出し下部電極上に設けられた発光層、および、発光層上に形成された上部電極を有して成る画像表示装置。【選択図】図１
2015052742.tif 000002
【特許請求の範囲】
【請求項１】
画像表示装置であって、
可撓性を有する配線埋設層、
前記配線埋設層の一方の主面と略面一状態で埋設された肉厚配線、
前記肉厚配線と電気的に接続され、前記一方の主面上に設けられた取出し下部電極、
前記取出し下部電極上に設けられた発光層、および
前記発光層上に形成された上部電極
を有して成る、画像表示装置。
【請求項２】
前記肉厚配線の上面が前記一方の主面から突出した形態となるように該肉厚配線が前記配線埋設層に埋設されていることを特徴とする、請求項１に記載の画像表示装置。
【請求項３】
前記肉厚配線の上面が前記一方の主面から窪んだ形態となるように該肉厚配線が前記配線埋設層に埋設されていることを特徴とする、請求項１に記載の画像表示装置。
【請求項４】
前記肉厚配線が、前記配線埋設層の前記一方の主面から他方の主面の方向に向かって幅寸法を漸次小さくするテーパ形状を有していることを特徴とする、請求項１〜３のいずれかに記載の画像表示装置。
【請求項５】
前記肉厚配線上を回避した位置に画素領域が規定されていることを特徴とする、請求項１〜４のいずれかに記載の画像表示装置。
【請求項６】
前記肉厚配線上に画素領域が規定されていることを特徴とする、請求項１〜４のいずれかに記載の画像表示装置。
【請求項７】
前記取出し下部電極が前記肉厚配線の上面の少なくとも一部に位置付けられていることを特徴とする、請求項１〜６のいずれかに記載の画像表示装置。
【請求項８】
前記配線埋設層が、可撓性フィルムと該可撓性フィルム上に設けられた接着剤層とから構成されており、
前記接着剤層に前記肉厚配線が埋設されていることを特徴とする、請求項１〜７のいずれかに記載の画像表示装置。
【請求項９】
前記配線埋設層の厚み方向に沿って延在するように層間接続ビアが該配線埋設層に設けられていることを特徴とする、請求項１〜８のいずれかに記載の画像表示装置。
【請求項１０】
前記層間接続ビアが、前記配線埋設層の前記一方の主面から他方の主面の方向に向かって幅寸法を漸次大きくするテーパ形状を有していることを特徴とする、請求項１〜９のいずれかに記載の画像表示装置。
【請求項１１】
前記層間接続ビアと前記肉厚配線とが逆テーパの関係を有しており、該層間接続ビアの幅寸法Ｗａが漸次減少する方向と該肉厚配線の幅寸法Ｗｂが漸次減少する方向とが相互に逆となっていることを特徴とする、請求項４に従属する請求項１０に記載の画像表示装置。
【請求項１２】
前記肉厚配線が金属箔から成ることを特徴とする、請求項１〜１１のいずれかに記載の画像表示装置。
【請求項１３】
前記配線埋設層の一方の主面を直接的に覆うように設けられたバリア層を更に有して成り、
前記バリア層においては前記肉厚配線上の局所的領域に開口部が形成されており、該開口部を介して前記肉厚配線と前記取出し下部電極とが相互に接続されていることを特徴とする、請求項１〜１２のいずれかに記載の画像表示装置。
【請求項１４】
画像表示装置を製造する方法であって、
（ｉ）肉厚配線および可撓性を有する配線埋設部材を用意する工程、
（ｉｉ）前記肉厚配線を前記配線埋設部材の一方の主面に押し付ける操作を施し、該一方の主面と略面一状態となるように該肉厚配線を該配線埋設部材に埋め込む工程、
（ｉｉｉ）前記肉厚配線と電気的に接続された取出し下部電極を前記配線埋設部材の前記一方の主面上に形成する工程、
（ｉｖ）前記取出し下部電極上に発光層を形成する工程、ならびに
（ｖ）前記発光層上に上部電極を形成する工程
を含んで成る、画像表示装置の製造方法。
【請求項１５】
前記工程（ｉｉ）では、前記肉厚配線の上面が前記配線埋設部材の主面よりも上方に位置するように該肉厚配線を該配線埋設部材に浅く埋め込むことを特徴とする、請求項１４に記載の画像表示装置の製造方法。
【請求項１６】
前記工程（ｉｉ）では、前記肉厚配線の上面が前記配線埋設部材の主面よりも下方に位置するまで該肉厚配線を該配線埋設部材に深く埋め込むことを特徴とする、請求項１４に記載の画像表示装置の製造方法。
【請求項１７】
前記工程（ｉ）の前記肉厚配線を金属箔の加工によって形成することを特徴とする、請求項１４〜１６のいずれかに記載の画像表示装置の製造方法。
【請求項１８】
前記工程（ｉ）の前記肉厚配線は、それをキャリア上に設けたキャリア付き肉厚配線として用意することを特徴とする、請求項１４〜１７のいずれかに記載の画像表示装置の製造方法。
【請求項１９】
前記工程（ｉ）の配線埋設部材として、可撓性フィルムと該可撓性フィルム上に設けられた接着剤層とから構成された２層構造の配線埋設部材を用意することを特徴とする、請求項１４〜１８のいずれかに記載の画像表示装置の製造方法
【請求項２０】
前記工程（ｉ）における前記肉厚配線として、幅寸法が漸次小さくなるテーパ形状を有する肉厚配線を用意し、
前記工程（ｉｉ）では、前記肉厚配線の相対的に幅が小さい面を前記配線埋設部材の前記一方の主面に押し付け、それによって、該肉厚配線を該配線埋設部材に埋め込むことを特徴とする、請求項１４〜１９のいずれかに記載の画像表示装置の製造方法。
【請求項２１】
前記配線埋設部材の厚み方向に延在する層間接続ビアを形成する工程を更に有して成ることを特徴とする、請求項１４〜２０のいずれかに記載の画像表示装置の製造方法。
【請求項２２】
前記層間接続ビアの幅寸法Ｗａの漸次減少する方向と前記肉厚配線の幅寸法Ｗｂが漸次減少する方向とが相互に逆となるように、前記層間接続ビアと前記肉厚配線とを逆テーパの関係で形成することを特徴とする、請求項２０に従属する請求項２１に記載の画像表示装置の製造方法。
【請求項２３】
前記工程（ｉｖ）では、前記肉厚配線上を回避した領域に前記発光層を形成することを特徴とする、請求項１４〜２２のいずれかに記載の画像表示装置の製造方法。
【請求項２４】
前記工程（ｉｖ）では、前記肉厚配線上に位置する領域に前記発光層を形成することを特徴とする、請求項１４〜２２のいずれかに記載の画像表示装置の製造方法。
【請求項２５】
前記配線埋設部材の一方の主面を直接的に覆うようにバリア層を形成する工程を更に有して成り、
前記バリア層には前記肉厚配線上の領域に開口部を形成し、該開口部を介して該肉厚配線と前記取出し下部電極とを相互に接続させることを特徴とする、請求項１４〜２４のいずれかに記載の画像表示装置の製造方法。
【発明の詳細な説明】
【技術分野】
【０００１】
本発明は、画像表示装置およびその製造方法に関する。より詳細には、本発明はパッシブ型の画像表示装置およびその製造方法に関する。
【背景技術】
【０００２】
近年、様々なフラットパネルディスプレイが開発されている。一般に、フラットパネルディスプレイにおいては、液晶、有機ＥＬ、電気泳動等を利用した素子による表示媒体が設けられている。
【０００３】
画像表示装置の製造に際しては、ガラスなどの絶縁性基板上に真空プロセス（例えばスパッタリング）およびフォトリソグラフィによって薄膜配線を形成し、続いて薄膜配線が形成された基板上にＬＣＤなどの画像表示部を形成する。
【先行技術文献】
【特許文献】
【０００４】
【特許文献１】特開２００３−１０８０２９号公報
【発明の概要】
【発明が解決しようとする課題】
【０００５】
画像表示装置として大型の装置も開発されているが、本願発明者らは、かかる画像表示装置の製造に起因した幾つかの課題を見出した。具体的には以下の課題を見出した。
・画像表示装置は大型化（大面積化）すればするほど配線抵抗に起因した電圧降下は無視できなくなる。電圧降下を減じるには、配線を厚く形成すればよいものの、真空プロセスで厚い配線を形成するには長時間のプロセス時間が必要となり、結果的に生産性が低下する。
・厚い配線を形成すると基板が凹凸になる。かかる凹凸を有する基板（特に大きい凹凸を有する基板）上にＯＬＥＤなどを形成するには平坦化層を厚く形成する必要があり、結果的に生産性が低下する。
・凹凸問題を回避するために、ガラス基板に形成した溝に金属を埋め込んで構成された配線構造が提案されているものの（例えば、特開２００３−１０８０２９号参照）、溝を形成するためにＲＩＥ（Ｒｅａｃｔｉｖｅ  Ｉｏｎ  Ｅｔｃｈｉｎｇ：反応性イオンエッチング）など高価で長時間のプロセスが新たに必要となる。また、配線形成のために長時間の真空薄膜形成プロセスも必要となる。
【課題を解決するための手段】
【０００６】
本発明はかかる事情に鑑みて為されたものである。本発明の主たる目的は、上記課題に好適に対処できる画像表示装置を提供することである。より具体的には、本発明の主たる目的は、大型化に伴った種々の上記課題に対処できる画像表示装置およびその製造方法を提供することである（換言すれば、大面積化に好適な画像表示装置を生産性高く実現することが主たる目的といえる）。
【０００７】
本願発明者らは、従来技術の延長線上で対応するのではなく、新たな方向で対処することによって上記目的の達成を試みた。その結果、かかる目的が達成された画像表示装置の発明に至った。
具体的には、本発明の画像表示装置は、
可撓性を有する配線埋設層、
配線埋設層に埋設された肉厚配線（特に好ましくは、配線埋設層の一方の主面と略面一状態で埋設された肉厚配線）、
肉厚配線と電気的に接続され、配線埋設層の一方の主面（即ち、肉厚配線と略面一状態となっている主面）上に設けられた取出し下部電極、
取出し下部電極上に設けられた発光層、および
発光層上に形成された上部電極
を有して成る。
【０００８】
かかる本発明の画像表示装置の特徴の１つは、可撓性を有する配線埋設層に厚みの大きい配線が埋め込まれていることである。つまり、従来技術で常套的に用いられている配線よりも厚い配線が「可撓性を有する層」に埋め込まれている（特に、かかる厚い配線が「可撓性を有する層」と略面一の状態で埋め込まれている）。
【０００９】
本発明では画像表示装置の製造方法も提供される。具体的には、
（ｉ）肉厚配線および可撓性を有する配線埋設部材を用意する工程、
（ｉｉ）肉厚配線を配線埋設部材の一方の主面に押し付ける操作を施し、肉厚配線を配線埋設部材に埋め込む工程（特に好ましくは、配線埋設部材の前記一方の主面と略面一状態となるように肉厚配線を配線埋設部材に埋め込む工程）、
（ｉｉｉ）肉厚配線と電気的に接続された取出し下部電極を形成する工程、
（ｉｖ）取出し下部電極上に発光層を形成する工程、ならびに
（ｖ）発光層上に上部電極を形成する工程
を含んで成る、画像表示装置の製造方法が提供される。
【００１０】
本発明の製造方法の特徴の１つは、可撓性を有する配線埋設部材に厚みの大きい配線を埋め込むプロセスを有していることである。つまり、本発明の製造方法では、従来技術で常套的に用いられている配線よりも厚い配線を「可撓性を有する部材」に埋め込む工程が実施される（特に、かかる厚い配線を「可撓性を有する部材」に略面一の状態で埋め込む操作を実施する）。
【発明の効果】
【００１１】
本発明では、大型化に伴った種々の課題に対処可能な画像表示装置が実現されている。具体的には、“肉厚配線”ゆえ、電気抵抗が低い配線がもたらされているだけでなく、“配線埋設層”ゆえ、“肉厚配線”に伴った凹凸の影響が効果的に減じられている。つまり、本発明に従えば、大面積化にとって好適な画像表示装置を得ることができる。
【００１２】
また、製造方法の観点からいえば、肉厚配線を配線埋設部材の主面に押し付けるといった比較的簡便なプロセスであるので、大面積化に好適な画像表示装置を生産性良く得ることができる。
【図面の簡単な説明】
【００１３】
【図１】図１は、本発明の画像表示装置の構成を模式的に示した断面図である（図１（ａ）：肉厚配線と配線埋設層とが“完全な面一状態”となっている態様、図１（ｂ）：肉厚配線が配線埋設層から僅かに突出している態様、図１（ｃ）：肉厚配線が配線埋設層から僅かに窪んで埋設された態様）。
【図２】図２は、本発明の画像表示装置（２層構造の配線埋設層を有する画像表示装置）の構成を模式的に示した断面図である。
【図３】図３は、本発明の画像表示装置の好適な構成態様を模式的に示した断面図である（図３（ａ）：画素領域が肉厚配線上の領域を回避した位置に規定されている構成態様、図３（ｂ）：画素領域が肉厚配線上に規定されている構成態様）。
【図４】図４は、本発明の画像表示装置（層間接続ビアを有する画像表示装置）の構成を模式的に示した断面図である。
【図５】図５は、本発明の画像表示装置（バリア層を有する画像表示装置）の構成を模式的に示した断面図である。
【図６】図６は、本発明の画像表示装置の実際の態様により近い構成を模式的に示した平面図および断面図である。
【図７】図７は、本発明の画像表示装置の実際の態様により近い構成を模式的に示した平面図および断面図である。
【図８】図８（ａ）〜（ｆ）は、本発明の画像表示装置の製造方法を模式的に示した工程断面図である。
【図９】図９は、本発明の製造方法の工程（ｉ）を説明するための模式的断面図である。
【図１０】図１０（ａ）〜（ｆ）は、本発明の画像表示装置の製造方法（層間接続ビアを設ける態様）を模式的に示した工程断面図である。
【図１１】図１１（ａ）〜（ｆ）は、本発明の画像表示装置の製造方法（バリア層を設ける態様）を模式的に示した工程断面図である。
【発明を実施するための形態】
【００１４】
以下、図面を参照しながら、本発明の実施形態を説明する。以下の図面においては、説明の簡潔化のため、実質的に同一の機能を有する構成要素を同一の参照符号で示す。また、各図における寸法関係（長さ、幅、厚さ等）は実際の寸法関係を反映するものではない。
【００１５】
本明細書で説明される“方向”は、配線埋設層１０とＥＬ素子の発光層３５との位置関係を基準とした方向であり、便宜上、図中の上下方向にて説明する。具体的には、各図の上下方向に対応しており、配線埋設層１０を基準として発光層３５が形成される側を「上方向」とし、その反対側を「下方向」としている。
【００１６】
≪画像表示装置≫
図１を参照しながら、本発明の実施形態に係る画像表示装置１００について説明する。図１（ａ）〜（ｃ）は、それぞれ、本発明の画像表示装置１００の構成を模式的に示す断面図である。
【００１７】
本発明の画像表示装置１００は、配線埋設層１０と、肉厚配線２０と、取出し下部電極３２と、発光層３５と、上部電極３８とを有して成る。配線埋設層１０は、可撓性を有する層であって、少なくとも肉厚配線が埋設されるための層である。かかる肉厚配線２０は、その名の通り、配線として特に厚さが大きいものを指している。肉厚配線２０は、配線埋設層１０の一方の主面と略面一状態となって埋設されている。つまり、図示されるように、配線埋設層１０の一方の主面（即ち、上側主面Ａ）と、肉厚配線２０の上面とが全体として略面一となっている。そして、ＥＬ素子（即ち、下部電極と発光層と上部電極とを少なくとも有して成るＥＬ素子）が、配線埋設層の一方の主面（即ち、肉厚配線と面一状態を成す上側主面Ａ）上に設けられている。具体的には、肉厚配線と電気的に接続された取出し下部電極３２が配線埋設層１０の一方の主面（即ち、上側主面Ａ）上に設けられ、その下部電極上に発光層３５が設けられ、更にその発光層上に上部電極３８が設けられている。
【００１８】
本発明の画像表示装置１００は、厚みの大きい配線、即ち、肉厚配線２０が用いられている。よって、画像表示装置１００の電気抵抗は効果的に減じられたものとなっている。一方、厚みの大きい配線２０が用いられているといえども、それは配線埋設層１０に好適に埋め込まれている。よって、画像表示装置１００では“肉厚配線”に伴った凹凸の影響が効果的に減じられており、全体として平坦化に優れている。従って、本発明においては、配線抵抗が低く大面積に好適な画像表示装置１００が実現されている（肉厚配線は、低抵抗化に寄与するだけでなく、機械的な高強度化にも寄与し得るので、曲げなどの外力に対しても信頼性が高い）。
【００１９】
また、配線埋設層１０はそもそも“可撓性を有する層”となっているので、本発明の画像表示装置は、好ましくはフレキシブルな装置となっている。更に、後述するように配線埋設層１０をフィルムから構成することができるので、軽量な画像表示装置も実現される。
【００２０】
本発明の画像表示装置１００では、「配線埋設層１０の一方の主面（上側主面Ａ）」と「肉厚配線２０の上面」とが略面一となっているが、これは、半導体装置１００を全体として大きく捉えた場合に、肉厚配線２０が配線埋設層１０に面一状態に近い状態で埋設されていることを意味している。つまり、本発明でいう「略面一」とは、図１（ａ）のように、配線埋設層１０の一方の主面（上側主面Ａ）と、肉厚配線２０の上面とが完全面一となっている態様のみならず、図１（ｂ）のように、肉厚配線２０の上面が配線埋設層１０の一方の主面（上側主面Ａ）から僅かに上側に位置する態様、及び、図１（ｃ）のように、肉厚配線２０の上面が配線埋設層１０の一方の主面（上側主面Ａ）から僅かに下側に位置する態様をも包含している。
【００２１】
図１（ａ）〜図１（ｃ）の各態様の相違について説明する。図１（ａ）では、配線埋設層１０の上側主面Ａと肉厚配線２０の上面とが“完全な面一状態”となっている。つまり、「配線埋設層１０の上側主面Ａ」と「肉厚配線２０の上面」とが正確に同一平面上に位置付けられている。かかる場合、装置全体として平坦化がより優れたものとなり、その点で有利である。図１（ｂ）では、肉厚配線２０の上面が配線埋設層１０の上側主面Ａよりも僅かに上側に位置する態様となっている。つまり、肉厚配線２０の上面が配線埋設層１０の一方の主面（上側主面Ａ）から突出した形態で肉厚配線２０が配線埋設層１０に埋設されている。かかる形態では、全体して略平坦化が実現されているといえども、“僅かな突出形態”に起因して肉厚配線とＥＬ素子（特にその下部電極）との電気的接続がより確実に実現できる（尚、後述するバリア層などを利用することによって、図１（ａ）と同様の“完全面一”も実現することも可能である）。図１（ｃ）では、肉厚配線２０の上面が配線埋設層１０の上側主面Ａよりも僅かに下側に位置する態様となっている。つまり、肉厚配線２０の上面が配線埋設層１０の一方の主面（上側主面Ａ）から窪んだ形態で肉厚配線２０が配線埋設層１０に埋設されている。かかる形態では、全体して略平坦化が実現されているといえども、“僅かな窪み形態”に起因して肉厚配線とＥＬ素子（特にその下部電極）との電気的接続のためのスペースがより多く確保されている。
【００２２】
図１（ｂ）および図１（ｃ）の態様につき詳述する。図１（ｂ）では、肉厚配線２０の上面が配線埋設層１０の上側主面Ａから僅かに突出した形態となっている。より具体的には、「肉厚配線２０の上面」が「配線埋設層１０の上側主面Ａ」から０（０を含まず）〜約１μｍ上側に位置しており、好ましくは０（０を含まず）〜約２００ｎｍ上側に位置している。一方、図１（ｃ）では、肉厚配線２０の上面が配線埋設層１０の上側主面Ａから僅かに窪んだ形態となっている。より具体的には、「肉厚配線２０の上面」が「配線埋設層１０の上側主面Ａ」から０（０を含まず）〜約１μｍ下側に位置しており、好ましくは０（０を含まず）〜約２００ｎｍ下側に位置している。かかる説明から分かるように、本明細書でいう『略面一状態で埋設された』といった表現は、完全な面一状態から±１μｍ上下方向にシフトした態様まで包含することを意味している。つまり、本発明では、肉厚配線２０の上面と配線埋設層１０の上側主面Ａとのレベル差が±１μｍの範囲内に収まる形態を『略面一状態で埋設された』と称している。
【００２３】
本発明の画像表示装置１００に用いられている肉厚配線２０は、導電性を有し且つ融点が比較的高い金属が好ましく、例えば、銅（Ｃｕ、融点：１０８３℃）、ニッケル（Ｎｉ、融点：１４５３℃）、アルミニウム（Ａｌ、融点：６６０℃）、ステンレス（ＳＵＳ）などを使用することができる。例えば、肉厚配線２０は金属箔から成るものであってよい。つまり、金属箔を加工したものであってもよい。金属箔としては、配線として電気抵抗が低く安価な銅箔やアルミ箔が好ましい。肉厚配線２０の厚さ寸法は、１００ｎｍ〜１００μｍ程度であってよいが、好ましくは従来技術で常套的に用いられている配線よりも厚くなっている。この観点でいうと、肉厚配線２０は、例えば好ましくは５００ｎｍ〜１００μｍの厚さ寸法、より好ましくは１μｍ〜７０μｍの厚さ寸法、更に好ましくは２μｍ〜５μｍの厚さ寸法を有している。本発明における肉厚配線は、このように総じて厚みが大きいので、その断面積（厚み方向に切り取った場合の断面積）が従来技術よりも大きくなった配線といえる。一方、肉厚配線２０の幅寸法（後述の“テーパー状”の肉厚配線の場合は、最小幅寸法と最大幅寸法との平均値）は、５μｍ〜１ｍｍ程度となり得る。ここで、本発明はあくまでも“肉厚配線”となっているので、幅寸法が小さくても所望の低抵抗を達成できる。換言すれば、本発明では低抵抗を実現しつつも配線２０を細い形態にすることができる。あくまでも例示にすぎないが、肉厚配線２０の幅寸法は４μｍ〜２０μｍ、好ましくは４μｍ〜１８μｍ、より好ましくは４μｍ〜１０μｍとすることができる。このような細い配線形態では、画像表示装置における他の構成要件のためのスペースを比較的多く確保することができ、その点で有利である。また、従来技術と同様の幅寸法であっても本発明における配線は、そもそも“肉厚”ゆえ、不都合な電圧降下を回避でき、画面サイズの大型化に有効に寄与し得る。
【００２４】
本発明で用いられる配線２０はあくまでも“肉厚配線”であるがゆえ、好ましくは、配線埋設層１０内で埋設されている部分の割合は比較的大きなものとなっている。具体的には、“突出した形態”であれ“窪んだ形態”であれ、いずれの場合であっても、配線埋設層１０の厚みの少なくとも５０％以上、より好ましくは配線埋設層厚みの６０％以上、更に好ましくは配線埋設層厚みの７０％以上までが肉厚配線２０で埋め込まれた形態となっている（かかる値の上限は特に制限はないものの例えば９０％である）。尚、配線埋設層１０が、後述するように可撓性フィルム１４と接着剤層１６とから成る２層構造を有している場合では（図２参照）、接着剤層１６の厚みの少なくとも５０％以上、より好ましくは接着剤層厚みの６０％以上、更に好ましくは接着剤層厚みの７０％以上までが肉厚配線２０で埋め込まれた形態となっている（同様にして、上限値は特に制限はないものの例えば９０％である）。
【００２５】
肉厚配線２０は、図示されるように、テーパ状に設けられていることが好ましい。つまり、肉厚配線２０は、装置厚み方向に切り取った断面がテーパ形状を有していることが好ましい。より具体的には、本発明における肉厚配線２０は、配線埋設層１０の一方の主面（上側主面Ａ）から他方の主面の方向に向かって幅寸法を漸次小さくするテーパ形状を有している。このようなテーパ形状であると、肉厚配線２０を容易に配線埋設層１０に埋め込むことができる。また、“テーパ形状”では、埋め込みの程度・度合いを好適に調整することができるので、その点でも有利である。つまり、肉厚配線２０を相対的に浅く埋め込んで、肉厚配線２０の上面が配線埋設層１０の上側主面Ａから僅かに突出した形態をより容易に得ることができたり（図１（ｂ）参照）、あるいは、肉厚配線２０を相対的に深く埋め込んで、肉厚配線２０の上面が配線埋設層１０の上側主面Ａから僅かに窪んだ形態をより容易に得ることができたりする（図１（ｃ）参照）。あくまでも例示にすぎないが、図１（ａ）に示される肉厚配線２０のテーパ角度αは、約１５°〜約７０°、例えば約２０°〜約４５°であってよい。
【００２６】
画像表示装置１００に用いられている配線埋設層１０は、単層構造に限らず、複数層構造（例えば、２層構造）を有するものであってよい。“２層構造”の場合、配線埋設層１０は、図２に示されるように、可撓性フィルム１４と、その可撓性フィルム上に設けられた接着剤層１６とから構成されていることが好ましい。接着剤層１６は、肉厚配線の埋め込み時に圧力が加えられると流動化し得るので、その接着剤層１６に配線埋め込み機能を好適にもたせることができる。一方、可撓性フィルム１４は、流動性が無くとも熱的安定性が高く、機械的強度に優れているので、芯材としての機能をもたせることができる。このように２層構造の配線埋設層１０は、機能をそれぞれ分担できるので材料選択の幅が広がるといった効果を奏する。
【００２７】
配線埋設層１０の可撓性フィルム１４は、例えば、有機フィルムまたは有機・無機ハイブリッド・フィルムであってよい。有機フィルムの材質としては、ＰＥＴ、ＰＥＮ、ＰＩ、液晶ポリマーなどを挙げることができる。有機・無機ハイブリッド・フィルムの材質としてはシルセスキオキサンを挙げることができる。別の表現でいえば、可撓性フィルム１４として樹脂シートを用いることができる。例えば、エポキシ・シートやＰＰＥシートなどであってよい。さらに、補強材を組み込む観点から、ガラスファイバーやアラミドファイバーの織布や不織布に樹脂を含浸させて得られるシートを用いてもよい。可撓性フィルム１４の厚みは、例えば約１μｍ〜約５００μｍ程度であってよい。
【００２８】
配線埋設層１０の接着剤層１６は、例えば、エポキシ系、ポリイミド系、ＰＰＥ系接着剤から成る層であってよい。接着剤層１６の厚みは、埋設される肉厚配線厚みに鑑みて決められる。即ち、接着剤層が薄すぎると肉厚配線を充分に埋設することができない一方、厚すぎると接着剤流れが発生して、所望の位置に肉厚配線を埋設できない。従って、例えば肉厚配線２０の厚みが仮に０．１μｍ〜１０μｍである場合を想定すると、接着剤層１６の厚みは１μｍ〜３０μｍであることが好ましい。
【００２９】
画像表示装置１００に用いられているＥＬ素子は配線埋設層１０の一方の主面、即ち、上側主面Ａ上に設けられている。ＥＬ素子は、図１に示されるように、「肉厚配線２０と電気的に接続される取出し下部電極３２」、「発光層３５」および「上部電極３８」を少なくとも有して成る。あくまでも例示にすぎないが、図示されるように、配線埋設層１０の上側主面Ａ上に取出し下部電極３２が形成され、その下部電極上に発光層３５が形成され、更にその発光層上に上部電極３８が形成されている。ＥＬ素子の発光効率を上げるために電子輸送層、正孔輸送層などが付加的に備えられていてもよい。具体的には下部電極３２と上部電極３８との内側で発光層３５を挟み込むように電子輸送層および正孔輸送層が設けられていてもよい（更には、電子注入層や正孔注入層なども設けられていてもよい）。また、本発明におけるＥＬ素子（エレクトロルミネッセンス素子）は、発光体（発光層３５における発光材料）として有機物を用いる有機ＥＬ素子のみならず、発光体（発光層３５における発光材料）として無機物を用いる無機ＥＬ素子であってもよい。
【００３０】
ＥＬ素子における「取出し下部電極３２」は、肉厚配線との電気的接続機能と発光層のための電極機能とを少なくとも兼ね備えるものである。「上部電極３８」は、少なくとも発光層のための電極機能を有している。かかる下部電極３２および上部電極３８の材料や厚さなどは、特に制限はなく、常套的なＥＬ素子（例えば有機ＥＬ素子）に用いられる電極と同様であってよい。あくまでも例示にすぎないが、下部電極３２および上部電極３８に含まれる材料としては、ＩＴＯ（インジウム・スズ酸化物）、ＩｎＺｎＯ（酸化インジウム亜鉛）、ＺｎＯ（酸化亜鉛）、マグネシウム、銀、リチウムおよびアルミニウムから成る群から選択される少なくとも１種以上の材料を挙げることができる。光取り出し側の電極（例えば、上部電極３８）は透明性が求められるので、その観点でいえばＩＴＯ材質から成っていることが好ましい。同様にあくまでも例示にすぎないが、下部電極３２および上部電極３８のそれぞれの厚みは、好ましくは１０ｎｍ〜１μｍ程度、より好ましくは５０ｎｍ〜５００ｎｍ程度、更に好ましくは８０ｎｍ〜２５０ｎｍ程度であってよい。
【００３１】
ＥＬ素子における「発光層３５」は、蛍光および／または燐光を生じることができる層である。よって、結果として蛍光および／または燐光を生じるのであれば、材料・厚さ寸法などは特に制限はない。つまり、発光層３５は、常套的なＥＬ素子の発光材料から成るものであってよい。例えば、有機ＥＬ素子の場合、発光層３５に典型的に使用される材質として、低分子蛍光材料、高分子蛍光材料、金属錯体などを挙げることができる（例示すると、微量のドーパント材をホスト材に混入させて発光効率を向上させた材料であってよい）。発光層３５の厚さなども特に制限はなく、常套的なＥＬ素子の発光層と同様であってよい（あくまでも例示にすぎないが、発光層３５の厚さは、好ましくは５ｎｍ〜５００μｍ、より好ましくは１０ｎｍ〜１００ｎｍである）。また、発光層自体は、必ずしも単層であることに限定されず、複数層から成る積層構造の発光層であってもよい。
【００３２】
図３に示されるように、本発明の画像表示装置１００では、肉厚配線２０とＥＬ素子の下部電極３２とが相互に接続されている。つまり、肉厚配線２０と下部電極３２との接合によって、肉厚配線２０とＥＬ素子とが電気的に接続されている。下部電極３２は、肉厚配線２０の上面の少なくとも一部に位置付けられていることが好ましい。つまり、「配線埋設層１０に略面一状態で埋め込まれた肉厚配線２０」の上面の少なくとも一部を覆うように下部電極３２が設けられている。これは、ＥＬ素子の取出し電極（即ち、取出し下部電極）が肉厚配線の上面から直接取り出されている態様に相当する。このような態様においては、取出し電極が肉厚配線の上面から直接取り出された形態となっており、別の取出し電極などに起因した“余分の接触抵抗”を生じることなく、また、余分の製造工程をはさむことなく生産性の高い画像表示装置を実現できる。
【００３３】
本発明の画像表示装置の好適な態様では、装置の画素領域が肉厚配線上を回避した領域に規定されている。つまり、図３（ａ）に示されるように、配線埋設層１０の上側主面Ａ上のＥＬ素子は、肉厚配線２０上の領域からずれる形態で設けられている。より具体的にいえば、取出し下部電極３２が肉厚配線２０上の領域に位置するものの、ＥＬ素子の発光部は肉厚配線２０上に位置していない。このような態様から分かるように、本発明にいう『肉厚配線上を回避した領域に画素領域が規定されている』とは、ＥＬ素子の発光層３５が肉厚配線２０上の領域に位置していない、即ち、ＥＬ素子の発光層３５と肉厚配線２０とが上下方向にオーバーラップした位置関係になっていないことを意味している。このような態様においては、「肉厚配線と配線埋設層との境界部」からＥＬ素子を好適に離隔させることができる。つまり、「肉厚配線２０が配線埋設層１０から僅かに突出している態様（図３（ａ）の左下図あるいは図１（ｂ））」あるいは「肉厚配線２０が配線埋設層１０から僅かに窪んで埋設されている態様（図１（ｃ））」であっても、肉厚配線２０と配線埋設層１０との境界部に生じる“段差”の影響を好適に回避し、フラットな形態でＥＬ素子を設けることができる（特にＥＬ素子の発光層３５を好適にフラットに設けることができる）。
【００３４】
本発明の画像表示装置の別の好適な態様では、装置の画素領域が肉厚配線上に規定されている。つまり、図３（ｂ）に示されるように、配線埋設層１０の上側主面Ａ上のＥＬ素子は、肉厚配線２０上の領域に設けられている。より具体的にいえば、取出し下部電極３２のみならず、ＥＬ素子の発光部も肉厚配線２０上の領域に位置している。このような態様から分かるように、本発明にいう『肉厚配線上に画素領域が規定されている』とは、ＥＬ素子の発光層３５が肉厚配線２０上の領域に位置している、即ち、ＥＬ素子の発光層３５と肉厚配線２０とが上下方向にオーバーラップした位置関係になっていることを意味している。このような態様においては、ＥＬ素子を肉厚配線２０の領域内に好適に設けることができる。つまり、「肉厚配線２０が配線埋設層１０から僅かに突出している態様」あるいは「肉厚配線２０が配線埋設層１０から僅かに窪んで埋設されている態様」であっても、ＥＬ素子（特にそのなかでも発光層３５）を肉厚配線の領域からはみ出さずに設けることができ、その結果、肉厚配線と配線埋設層との境界部に生じる“段差”の影響を回避し、フラットな形態のＥＬ素子（特にフラットな形態の発光層３５）とすることができる。
【００３５】
本発明の画像表示装置１００は、層間接続ビアを有して成るものであってよい。図４に示すように、層間接続ビア５０は、配線埋設層１０の厚み方向に沿って延在するように配線埋設層内に設けられている。層間接続ビア５０は、例えば配線埋設層１０上に設けられた配線層などと接続されていてよい。このように層間接続ビア５０が設けられていると、配線層の電気信号を短距離かつ配線密度高く裏面などに伝送できるので好ましい。更には、金属から成る層間接続ビアの場合では、その熱抵抗が低いので発光層で発生した熱を放熱するように層間接続ビアを利用することができ、発光層の寿命や信頼性の向上に寄与し得る。
【００３６】
層間接続ビア５０は、テーパ状に設けられていることが好ましい。つまり、かかる層間接続ビア５０は、装置厚み方向に切り取った断面がテーパ形状を有している。より具体的には、本発明における層間接続ビア５０は、配線埋設層１０の一方の主面（上側主面Ａ）から他方の主面の方向に向かって幅寸法を漸次大きくするテーパ形状を有していることが好ましい。このように層間接続ビアがテーパ状であると、画素の形成される主面側Ａはビアの占有面積が小さいので高密度配線を実現でき、一方、裏面側はビアが大きいのでビアランドや他の回路要素、例えば配線との相対位置のアライメン精度がゆるくなって製造が容易となる。尚、かかる層間接続ビア５０につき、図４に示すようなテーパ角度βは約１５°〜約７０°、例えば約２０°〜約４５°である。
【００３７】
本発明の画像表示装置１００では、層間接続ビアと肉厚配線とが逆テーパの関係を有していることが好ましい。つまり、図４に示すように、層間接続ビア５０の幅寸法Ｗａが漸次減少する方向ａと肉厚配線２０の幅寸法Ｗｂが漸次減少する方向ｂとが相互に逆となっている。これは、本発明における層間接続ビアは、主面側Ａの断面積が小さい逆テーパの円錐台形状となっていることを意味している。このような形態を有する画像表示装置１００においては、上述した“肉厚配線のテーパ効果”と“層間接続ビアのテーパ効果”とが相乗的に奏されることになる。
【００３８】
本発明の画像表示装置１００は、“バリア層”なるものを更に有して成るものであってよい。具体的には、図５に示すように、配線埋設層１０の一方の主面（上側主面Ａ）を直接的に覆うように設けられたバリア層７０が設けられていてよい。かかるバリア層７０においては肉厚配線上の局所的領域に開口部７２が形成されていることが好ましく、かかる開口部７２を介して肉厚配線２０とＥＬ素子の取出し下部電極３２とが相互に接続されている。ここでいう「バリア層」とは、水分・水蒸気などの透過を阻止する層を実質的に意味している。かかるバリア層７０が設けられると、水分や水蒸気に弱い発光層の寿命や信頼性を向上させることができる。“開口部７２”が設けられ、そこで肉厚配線と取出し下部電極との接続が供されている点に鑑みると、本発明におけるバリア層７０は水分や水蒸気に対するバリア効果を供するだけでなく、電気的な接続も同時にかつ簡便に実現できるといった効果も有している（ちなみに、金属や酸化物から成る取出し下部電極は水分や水蒸気を透過させないので、バリア層開口部から水分や水蒸気が透過することを防ぐことができる）。尚、バリア層７０としては、ＳｉＯ２やＳｉＮなどの無機膜や無機膜とポリマーの多層膜を用いることができる。
【００３９】
図６および図７には、本発明の画像表示装置の実際の態様により近い構成（パッシブ型ＯＬＥＤとしての構成）が示されている。特に図６に示される態様では、取出し下部電極が肉厚配線上の領域に部分的に位置するものの、発光層が肉厚配線上の領域に位置しておらず、肉厚配線上を回避した領域に画素領域が規定されている。また、特に図７に示される態様では、取出し下部電極のみならず、発光層も肉厚配線上の領域に位置しており、肉厚配線上に画素領域が規定されている。
【００４０】
《画像表示装置の製造方法》
次に、図８を参照して、本発明に係る画像表示装置１００の製造方法について説明する。図８（ａ）〜（ｆ）は、画像表示装置１００の製造方法を説明するための工程断面図である。
【００４１】
本発明の製造方法の実施に際しては、まず、工程（ｉ）を実施する。つまり、図８（ａ）に示すように、肉厚配線２０および可撓性を有する配線埋設部材１０’を用意する。
【００４２】
肉厚配線２０は、金属箔を加工して得ることができる。これは、厚さが大きく断面積の大きな低抵抗の肉厚配線を真空プロセスで形成する場合よりも生産性高く得ることができることを意味している。金属箔としては、配線として電気抵抗が低く安価な銅箔やアルミ箔が好ましい。また、単体の肉厚配線２０の態様のみならず、それをキャリア２２上に設けた“キャリア付き肉厚配線”として用意してもよい（図９の「Ａ」参照）。キャリア付き肉厚配線は、製造時の取り扱いが容易な点で好ましい。例えば、ＰＥＴや銅箔より形成されるキャリア上に離型層を介して配線形成用の銅箔が形成された“キャリア付き銅箔”を用いてよい（キャリア２２としては、ＰＥＴなどのプラスティック・フィルムや銅箔などの金属箔といった“フレキシブルな基板”に限定されず、ガラス基板などの“硬質の基板”であってもよい。いずれの場合であっても、必要に応じて離型層を介してキャリア上に肉厚配線材料を設ける）。
【００４３】
キャリア付き銅箔の一例としては、厚さが約１００μｍのＰＥＴフィルムをキャリア２２として用い、そのキャリア上に有機の離型層を介して銅箔厚さが２μｍで積層したものを挙げることができる。銅箔自体の厚みは必要とされる配線抵抗に鑑みて決定してよい。例えば、電圧降下を小さくして信号遅延を少なくする観点からは配線抵抗が低いほど好ましく、それゆえ、厚みが大きい方が好ましいものの、あまりに厚いと埋め込み難くなる。従って、かかる観点でいえば、キャリア付き銅箔における銅箔厚さは１００ｎｍ〜１００μｍの範囲であることが好ましい。
【００４４】
上述したように、肉厚配線２０は、金属箔を加工して形成することができるが、好ましくは肉厚配線をテーパ状に加工する（即ち、幅寸法が漸次小さくなるように金属箔を加工する）。図９に示すようなテーパ角度α’は、例えば約１５°〜約７０°、より好ましくは約２０°〜約４５°である。テーパ状の肉厚配線は、例えば、金属箔のエッチング処理を通じて形成してよい（図９の「Ａ」参照）。より具体的には、金属箔に対してフォトリソグラフィなどを通じで部分的にエッチングを施すことによって、テーパ状の肉厚配線２０を形成してよい。
【００４５】
キャリア付き肉厚配線は、フォトリソグラフィおよびエッチングを施すことによって得ることができる。このようなフォトリソグラフィ／エッチングは、常套的な回路基板製造で一般に用いられているものを採用できる。例えば、銅箔（キャリア付き銅箔に用いられることになる銅箔）にドライフィルムレジストを貼り付けて、所望のパターンのフォトマスクを積層して、露光・現像に付し、次いで、塩化鉄−塩酸系や硫酸−過酸化水素系のエッチング液で銅箔の不要部分を除去することによって所望の配線パターン（例えば、テーパ状断面を有する配線パターン）を得ることができる。
【００４６】
工程（ｉ）の配線埋設部材１０’は、可撓性を有する部材であって、後刻の工程（ｉｉ）で肉厚配線２０が埋め込まれることになる部材である。例えば、未硬化または半硬化状態の部材であってよく、肉厚配線２０の埋め込み時またはその後の加熱および／または光照射などに起因して硬化するものが好ましい。
【００４７】
配線埋設部材１０’は２層構造を有するものであってよい。例えば、配線埋設部材１０’は、図９の「Ｂ」に示されるように、可撓性フィルム１４と、その可撓性フィルム上に設けられた接着剤層１６（例えば未硬化または半硬化状態にある接着剤層）とから構成されたものであってよい。接着剤層１６は、工程（ｉｉ）の肉厚配線の埋め込み時に圧力が加えられると流動化し得るので、その接着剤層１６に配線埋め込み機能を好適にもたせることができる。一方、可撓性フィルム１４は、流動性が無くとも熱的安定性が高く、機械的強度に優れているので、芯材としての機能をもたせることができる。可撓性フィルム１４および接着剤層１６の具体的材質・厚さなどについては、上記≪画像表示装置≫で例示した通りである（あくまでも例示にすぎないが、保護フィルムと接着剤とを付与した可撓性を有したカプトン基材を配線埋設部材１０’として用いることができる）。
【００４８】
工程（ｉ）に引き続いて工程（ｉｉ）を実施する。つまり、図８（ｂ）に示すように肉厚配線２０を配線埋設部材１０’の一方の主面Ａ’に押し付ける操作を施し、配線埋設部材１０’の主面Ａ’と略面一状態となるように肉厚配線２０を配線埋設部材１０’に埋め込む。
【００４９】
例えば、所望の肉厚配線パターン形状を有するキャリア付き銅箔を、その肉厚配線パターンが配線埋設部材側と直接対向するように積層して、熱プレスやロールラミネータなどで熱と圧力を加えることによって、肉厚配線２０を配線埋設部材１０’に埋め込むことができる（かかる埋め込みに際しては“熱”に起因して未硬化または半硬化状態の配線埋設部材を硬化させることができ、特に接着剤層を硬化させることができる）。埋め込み条件は、肉厚配線厚み、配線埋設部材の硬化温度・流動性などにより決定されるが、一例を挙げると、厚さ１０μｍのポリイミドフィルム（カプトンＥＮ）に配線埋設部材として１０μｍの厚みで半硬化状態のエポキシ系接着剤を塗布した基板に対して、キャリア（厚さ１００μｍのＰＥＴフィルム）上の厚さ５μｍのＣｕ箔をパターニングし肉厚配線としたものを埋め込む場合では、温度１６０℃／圧力３ＭＰａ／３０分間の条件で熱プレスを実施すればよい。
【００５０】
肉厚配線を埋設した後においては、図８（ｃ）に示すようにキャリア２２を除去する。キャリア除去はキャリアの一部を固定して機械的に引き剥がして行う。このとき、キャリア付き銅箔には離型層が設けられているので肉厚配線を埋設させたままでキャリアのみを除去することができる。
【００５１】
工程（ｉｉ）では、配線埋設層１０の上側主面Ａと肉厚配線２０の上面とが完全面一となるように埋め込んでよいものの（図８（ｂ−１）参照）、それから相対的に“浅く”または“深く”埋め込んでもよい。例えば、図８（ｂ−２）に示すように、肉厚配線２０の上面が配線埋設部材１０’の主面よりも上方に位置するように肉厚配線２０を配線埋設部材１０’に浅く埋め込んでよい。かかる場合、肉厚配線の上面が配線埋設層の一方の主面（上側主面Ａ）から突出した形態で肉厚配線が配線埋設層に埋設されることになる。より具体的には、肉厚配線２０の上面が配線埋設部材１０’（またはそれから得られる配線埋設層）の上側主面から０（０を含まず）〜約１μｍ上側に位置することになるように、好ましくは０（０を含まず）〜約２００ｎｍ上側に位置することになるように肉厚配線２０を配線埋設部材１０’に浅く埋め込んでよい。また、図８（ｂ−３）に示すように、肉厚配線２０の上面が配線埋設部材１０’の主面よりも下方に位置するまで肉厚配線２０を配線埋設部材１０’に深く埋め込んでよい。かかる場合、肉厚配線の上面が配線埋設層の一方の主面（上側主面Ａ）から窪んだ形態で肉厚配線が配線埋設層に埋設されることになる。より具体的には、肉厚配線２０の上面が配線埋設部材１０’（またはそれから得られる配線埋設層）の上側主面から０（０を含まず）〜約１μｍ下側に位置することになるように、好ましくは０（０を含まず）〜約２００ｎｍ下側に位置することになるように肉厚配線を配線埋設部材１０’に深く埋め込んでよい。
【００５２】
工程（ｉ）における肉厚配線として、幅寸法が漸次小さくなるテーパ形状を有する肉厚配線を用意した場合、図８（ｂ）に示されるように、肉厚配線２０の相対的に幅が小さい面を配線埋設部材１０’の上側主面Ａ’に押し付け、それによって、肉厚配線２０を配線埋設部材１０’（またはそれから得られる配線埋設層）に埋め込むことが好ましい。かかる場合、肉厚配線２０は、得られる画像表示装置１００において配線埋設層１０の一方の主面（上側主面Ａ）からその対向する他方の主面の方向に向かって幅寸法を漸次小さくするテーパ形状を有することになる。肉厚配線２０の相対的に幅が小さい面を配線埋設部材１０’の主面Ａ’に押し付ける場合では、肉厚配線２０を容易に配線埋設層１０に埋め込むことができ、特にはその埋め込み度合いを好適に調整できる。つまり、肉厚配線２０を相対的に僅かに浅く埋め込んで、肉厚配線２０の上面が配線埋設部材１０’（またはそれから得られる配線埋設層）の上側主面から僅かに突出した形態をより容易に得ることができたり、あるいは、肉厚配線２０を相対的に僅かに深く埋め込んで、肉厚配線２０の上面が配線埋設部材１０’（またはそれから得られる配線埋設層）の上側主面から僅かに窪んだ形態をより容易に得ることができたりする。
【００５３】
工程（ｉｉ）に引き続いて工程（ｉｉｉ）〜（ｖ）を実施する。つまり、配線埋設部材の上側主面上にＥＬ素子を形成する。
【００５４】
具体的には、まず工程（ｉｉｉ）として下部電極３２を形成する。即ち、図８（ｄ）に示すように、肉厚配線２０と電気的に接続された取出し下部電極３２を配線埋設部材の上側主面上に形成する。かかる取出し下部電極３２は、例えば、真空蒸着、スパッタリングなどの薄膜形成法や、スクリーン印刷、グラビア印刷またはインクジェット法などの印刷法を実施することによって形成できる。好ましくは、取出し下部電極３２は、肉厚配線２０と接続されるように、かかる肉厚配線２０の上面の少なくとも一部に位置付けられるように形成する。
【００５５】
工程（ｉｉｉ）に引き続いて工程（ｉｖ）として発光層を形成する。具体的には、図８（ｅ）に示すように、取出し下部電極３２上に発光層３５を形成する。かかる発光層の成膜方法としては、材料が高分子系か低分子系かにもよるが、例えば、真空蒸着法、イオン化蒸着法、ＭＢＥ法、インクジェット法等を採用することができる（典型的には、低分子系材料の場合では、真空蒸着などのドライプロセスを実施できる一方、高分子系材料の場合では、インクジェット法などのウェットプロセスを実施できる）。
【００５６】
工程（ｉｖ）に引き続いて工程（ｖ）として上部電極を形成する。具体的には、図８（ｆ）に示すように、発光層３５上に上部電極３８を形成する。かかる上部電極は、例えば例えば、真空蒸着、スパッタリングなどの薄膜形成法や、スクリーン印刷、グラビア印刷またはインクジェット法などの印刷法を実施することによって形成できる。光取り出しの観点からＩＴＯ材質から成る透明電極として上部電極３８を形成する場合では、スパッタリングを用いてよい。
【００５７】
このように工程（ｉｉｉ）〜（ｖ）を経ることによってＥＬ素子を形成できるが、ある１つの好適な態様として、ＥＬ素子は肉厚配線２０上を回避した領域に形成する。つまり、図８（ｄ）〜（ｆ）に示されるように、ＥＬ素子の取出し下部電極３２は肉厚配線２０上の領域に設けられるものの、ＥＬ素子の発光部は肉厚配線２０からずれた位置に設ける。より具体的には、取出し下部電極３２は肉厚配線２０上の領域に部分的に位置するように形成するものの、発光層３５は肉厚配線２０の形成領域から横方向へとずれた位置に形成する。
【００５８】
別の好適な態様としては、肉厚配線２０上の領域にＥＬ素子を形成する。つまり、ＥＬ素子の取出し下部電極３２が肉厚配線上の領域に設けられるのみならず、ＥＬ素子の発光部も肉厚配線２０上に設ける。より具体的には、取出し下部電極３２が肉厚配線２０上の領域に部分的に位置するように形成するだけでなく、発光層３５もまた肉厚配線２０上に位置するように形成する。
【００５９】
以上のような工程（ｉ）〜（ｖ）を通じることによって、最終的には、「可撓性を有する配線埋設層」に「厚みの大きい肉厚配線」が略面一状態で埋め込まれた画像表示装置１００を構築することができる。
【００６０】
（層間接続ビアを設ける態様）
本発明の製造方法は、層間接続ビアの形成工程を更に有して成るものであってよい。つまり、図１０（ａ）〜（ｆ）に示すように、配線埋設部材の厚み方向に延在する層間接続ビア５０を配線埋設層（より具体的には、配線埋設部材から得られた配線埋設層）に形成する工程が更に設けられていてよい。図示される態様から分かるように、層間接続ビア５０の形成工程は、本発明の製造方法の工程（ｉｉ）の後（かつ、好ましくは工程（ｉｉｉ）の前）に実施され得る。
【００６１】
層間接続ビア５０は、肉厚配線２０の埋設処理後に実施されるブラインドビア形成を通じて得ることができる。具体的には、肉厚配線２０の埋設処理後（かつ、加熱および／または光照射などに起因して配線埋設部材１０’から配線埋設層を得た後）、配線埋設層の他方の主面側（即ち、肉圧配線が埋設されている主面Ａと対向する主面Ｂ）からレーザ照射を施してブラインドビアを形成する（図１０（ｄ）参照）。次いで、得られたブラインドビアに導電材を充填すると、層間接続ビアを得ることができる（図１０（ｅ）参照）。導電材の充填では、銅めっき、ＡｇペーストやＣｕペーストなどの導電ペーストを充填してよい。層間接続ビア５０の大きさは、必要とする電気抵抗と配線密度から決定してよい。すなわち、大きなビアほど電気抵抗が小さく大電流が流せるが、単位面積当たりで取り出せるビア数が減ってしまう。また、小さなビアは形成の難易度が高い。一例を挙げると、ビア直径を５μｍ〜３００μｍとしてよい。
【００６２】
ちなみに、ブラインドビアの形成自体はフォトリソグラフィによって実施してもよい。この場合、可撓性フィルムは、フォトパターン可能な材料であることが好ましい。例えば、感光性エポキシ・シートや感光性ＰＰＥシートなどを用いてよい。
【００６３】
本発明では、層間接続ビアの幅寸法Ｗａの漸次減少する方向ａと肉厚配線の幅寸法Ｗｂが漸次減少する方向ｂとが相互に逆となるように層間接続ビアを肉厚配線と逆テーパの関係で形成することが好ましい（図１０（ｅ）参照）。つまり、層間接続ビア５０を、主面側Ａの断面積が小さい逆テーパの円錐台形状で形成することが好ましい。かかる場合、画像表示装置１００においては“肉厚配線のテーパ効果”と“層間接続ビアのテーパ効果”とが相乗的に奏されることになる。
【００６４】
（バリア層を設ける態様）
本発明の製造方法は、バリアの形成工程を更に有して成るものであってよい。つまり、図１１（ａ）〜（ｆ）に示すように、配線埋設部材（より具体的には、配線埋設部材から得られた配線埋設層）の一方の主面を直接的に覆うバリア層を形成する工程が更に設けられていてよい（特に図１１（ｄ）参照）。
【００６５】
バリア層７０は、水分の透過を阻止するバリア機能を発揮するためＳｉＯ２やＳｉＮなどの無機膜や無機膜とポリマーとの多層膜として形成してよい。一例を挙げるとＣＶＤにより形成したＳｉＯ２（約１００ｎｍ）とシロキサン（約１００ｎｍ）とを１組とし、これを複数組で積層して用いてよい。積層する組数を多くするとバリア性能が向上するものの、同時に成膜コストが増加し得る。したがって、組数は、所望のバリア性能とコストとを勘案して決定すればよい。これにつき例示すると２組〜１０組程度で積層してよい。
【００６６】
バリア層７０を形成に際しては肉厚配線２０上の領域に開口部７２を形成し（図１１（ｅ）参照）、かかる開口部を介して肉厚配線２０とＥＬ素子の下部電極３２とを相互に接続させることが好ましい。開口部７２の形成は、バリア層にレーザ照射を施すことによって形成してよいし、あるいは、フォトリソグラフィ／エッチングなどを通じて形成してもよい。
【００６７】
このようなバリア層は更なる平坦化に寄与するように利用することもできる。例えば、肉厚配線が配線埋設層の主面から僅かに突出した形態を有する場合、その突出部の最上面と完全面一となるようにバリア層を配線埋設層の主面上に形成することによって、更なる平坦化を達成することができる。
【００６８】
以上、本発明の好適な実施形態を中心に説明してきたが、本発明はこれに限定されず、種々の改変がなされ得ることを当業者は容易に理解されよう。
【産業上の利用可能性】
【００６９】
本発明に係る画像表示装置は、各種機器の画像表示部として用いることができる。例えば、スマートフォンの画像表示部、タブレット端末の画像表示部、テレビの画像表示部、携帯電話の画像表示部、モバイル・パソコンまたはノート・パソコンの画像表示部、デジタルスチルカメラおよびカムコーダーの画像表示部、ならびに、電子ペーパーの画像表示部などに用いることができる。
【符号の説明】
【００７０】
１０    配線埋設層
１０’  配線埋設部材
１４    可撓性フィルム
１６    接着剤層
２０    肉厚配線
２２    キャリア
３２    取出し下部電極
３５    発光層
３８    上部電極
５０    層間接続ビア
７０    バリア層
１００  画像表示装置
【図１】
2015052742.tif 000003
【図２】
2015052742.tif 000004
【図３】
2015052742.tif 000005
【図４】
2015052742.tif 000006
【図５】
2015052742.tif 000007
【図６】
2015052742.tif 000008
【図７】
2015052742.tif 000009
【図８】
2015052742.tif 000010
【図９】
2015052742.tif 000011
【図１０】
2015052742.tif 000012
【図１１】
2015052742.tif 000013